(57)【要約】【課題】本発明は施工性、経済性に優れた横葺金属屋根改修工法を提供する。【解決手段】改修用屋根材相互の嵌合部と既設屋根における屋根材嵌合部が重なり合わないように改修用屋根材を葺成し、最も軒先に近い既設屋根材の上に葺かれる改修用屋根材の軒側水平部を、前記既設屋根材の軒側水平部の上に重ね、該改修用屋根材の軒先先端部の懸かり止め部を軒先に設置された唐草部固定部材の被懸り止め部に嵌合させ、該改修用屋根材の棟側水平部は前記既設屋根材の中央水平部の上に重ねるとともに、該棟側水平部および該中央水平部を貫通して、前記野地板まで釘を打設する。【選択図】　　　　　　図２
2004060229.tif 000002
【特許請求の範囲】
【請求項１】
金属折板からなる屋根材を嵌合して連結配置する横葺金属屋根上に、相互に嵌合可能な改修用屋根材で新たな金属屋根を葺成する改修方法であって、改修用屋根材相互の嵌合部と既設屋根における屋根材嵌合部が重なり合わないように改修用屋根材を葺成することを特徴とする横葺金属屋根改修工法。
【請求項２】
以下の工程を有することを特徴とする請求項１記載の横葺金属屋根改修工法。
１．最も軒先に近い既設屋根材の上に葺かれる改修用屋根材の軒側水平部を、前記既設屋根材の軒側水平部の上に重ね、該改修用屋根材の軒先先端部の懸かり止め部を軒先に設置された唐草部固定部材の被懸り止め部に嵌合する工程
２．該改修用屋根材の棟側水平部を前記既設屋根材の中央水平部の上に重ねるとともに、該棟側水平部および該中央水平部を貫通して、前記野地板まで釘を打設する工程
【請求項３】
以下の工程を有することを特徴とする請求項１または２記載の横葺金属屋根改修工法。
１．第一の改修用屋根材が、第一の既設屋根材の上に葺かれた状態で、第二の改修用屋根材の軒側水平部を、前記第一の改修用屋根材の被懸かり止め部から前記第一の既設屋根材に連結配置された第二の既設屋根材の軒側水平部の上に重ねるとともに、前記第二の改修用屋根材の懸り止め部を、前記第一の改修用屋根材の被懸り止め部に嵌合する工程
２．前記第二の改修用屋根材の棟側水平部を、前記第二の既設屋根材の中央水平部の上に重ねるとともに、該棟側水平部および該中央水平部を貫通して、前記野地板まで釘を打設する工程
【請求項４】
既設屋根材の製造工程における働き部形状圧延用ロールを改修用屋根材用の働き部形状圧延用ロールに変更したことを特徴とする改修用屋根材の製造方法。
【請求項５】
請求項４記載の改修用屋根材の製造方法に、更に軒先唐草部の成形工程を備えたことを特徴とする改修用屋根材の製造方法。
【発明の詳細な説明】
【０００１】
【発明の属する技術分野】
本発明は，建築構造物の屋根の改修工法に関し，特に，金属折板からなる屋根材を嵌合してなる横葺金属屋根の改修工法及び改修用屋根材の製造方法に関する。
【０００２】
【従来の技術】
屋根材は、長期間日射や風雨に晒されるため経年劣化を生じやすく、劣化した場合、家屋としての外観が損なわれるだけでなく雨漏り等により家屋が損傷する場合が多いことから、屋根の改修工法に関し、種々の技術が提案され、特に、既設屋根の上に新たに屋根を葺く屋根改修工法が、スレート屋根、縦葺金属屋根、横葺金属屋根および瓦屋根を対象に数多く提案されている。
【０００３】
特許２７９０８７７号公報、特開２０００−１９４９号公報は、スレート波板屋根改修技術に関し、前者は既設の屋根の上にタイトフレームを取りつけ、嵩上げした状態で新しい屋根を施工することを提案し（図１０）、新設する屋根材が長尺折板の場合、有効とされている。
【０００４】
後者は、既設の屋根材をバックアップ補強材とし、新規の屋根材を既設の屋根材外形にあわせて施工することを提案している。
【０００５】
特開平１１−２３６７４９号公報、特公平７−７６４７６号公報は金属屋根改修技術に関し、前者は既設屋根上に新たに野地板を設置するとともに新設屋根材のつぶれ防止のため、バックアップ補強材を設置することを提案している（図１１）。
【０００６】
後者は、野地板を使用せず、既設屋根上に瓦桟および屋根材のバックアップ補強材を取り付けることを提案している（図１２）。
【０００７】
特公平４−２００５５号公報は、瓦棒葺屋根改修工法に関し、既設の瓦棒葺屋根の瓦棒部に改修用吊子を取りつけることにより、既設の瓦棒葺屋根はそのままに、その上から新たな瓦棒葺屋根を施工することを提案している（図１３）。
【０００８】
【発明が解決しようとする課題】
上述したように、金属屋根改修技術においては、１．新規の屋根を取りつけるために、既存の屋根の上に、補強部材を兼ねた取りつけ部材や、野地板を設置したり、２．嵩上げして新規の屋根を施工することが提案されている。
【０００９】
しかしながら、新たに補助部材を用いたり、嵩上げ施工する方法は、工数が増加し屋根改修に要する費用や時間が増加するため、短時間で且つ安価に施工する技術が望まれていた。
【００１０】
本発明は、既設の金属屋根に新規の屋根を施工する際、取り付けのための部材や冶具を用いたり、嵩上げ工法などを必要とせず、短期間で且つ安価に改修を行う技術を提供するものである。
【００１１】
【課題を解決するための手段】
上記課題を解決するため、本発明では以下の手段を用いる。
【００１２】
１．金属折板からなる屋根材を嵌合して連結配置する横葺金属屋根上に、相互に嵌合可能な改修用屋根材で新たな金属屋根を葺成する改修方法であって、改修用屋根材の相互の嵌合部と既設屋根における屋根材嵌合部が重なり合わないように改修用屋根材を葺成することを特徴とする横葺金属屋根改修工法。
【００１３】
２．以下の工程を有することを特徴とする１記載の横葺金属屋根改修工法。
【００１４】
▲１▼最も軒先に近い既設屋根材の上に葺かれる改修用屋根材の軒側水平部を、前記既設屋根材の軒側水平部の上に重ね、該改修用屋根材の軒先先端部の懸かり止め部を軒先に設置された唐草部固定部材の被懸り止め部に嵌合する工程
▲２▼該改修用屋根材の棟側水平部を前記既設屋根材の中央水平部の上に重ねるとともに、該棟側水平部および該中央水平部を貫通して、前記野地板まで釘を打設する工程
３．以下の工程を有することを特徴とする１または２記載の横葺金属屋根改修工法。
【００１５】
▲１▼第一の改修用屋根材が、第一の既設屋根材の上に葺かれた状態で、第二の改修用屋根材の軒側水平部を、前記第一の改修用屋根材の被懸かり止め部から前記第一の既設屋根材に連結配置された第二の既設屋根材の軒側水平部の上に重ねるとともに、前記第二の改修用屋根材の懸り止め部を、前記第一の改修用屋根材の被懸り止め部に嵌合する工程
▲２▼前記第二の改修用屋根材の棟側水平部を、前記第二の既設屋根材の中央水平部の上に重ねるとともに、該棟側水平部および該中央水平部を貫通して、前記野地板まで釘を打設する工程
４．既設屋根材の製造工程における働き部形状圧延用ロールを改修用屋根材用の働き部形状圧延用ロールに変更したことを特徴とする改修用屋根材の製造方法。
【００１６】
５．４記載の改修用屋根材の製造方法に、更に軒先唐草部の成形工程を備えたことを特徴とする改修用屋根材の製造方法。
【００１７】
【発明の実施の形態】
本発明は、金属折板からなる屋根材を、軒先から棟にかけて、嵌合して連結配置した金属屋根の改修方法に関し、既設の金属屋根の上に新たな金属屋根を施工するものである。
【００１８】
図１の（ａ）は、本発明が適用される改修前の既設の金属屋根の状況であって、野地板１００に、既設屋根材２００に同じ第一の既設屋根材２１０、第二の既設屋根材２２０および第二の既設屋根材２３０（図中、破線表示する）が葺かれている。
【００１９】
野地板１００の軒先部に軒先部固定部材５００が配置され、その棟側水平部５０８において設置用釘５０９が野地板１００に打設されている。
【００２０】
そして、軒先部固定部材５００の被懸り止め部５０６に、第一の既設屋根材２１０の懸り止め部２１１が嵌合し、その棟側水平部２１８において、設置用釘２１９が野地板１００に打設される。
【００２１】
さらに、第一の既設屋根材２１０の被懸り止め部２１６に、第二の既設屋根材２２０の懸り止め部２２１が嵌合し、その棟側水平部２２８において、設置用釘２２９が野地板１００に打設されている。
【００２２】
そして、軒先先端部には、改修用金属板の唐草部固定部材が設置される。　図１の（ｂ）は、唐草部固定部材６００を設置した状況であって、軒先端部１０１に、唐草部固定部材６００が配置され、その端部垂直部６０８において、設置用釘６０９が軒先端部１０１に打設されている。
【００２３】
請求項２記載の発明は、上述した軒先先端部の既設屋根上に、改修屋根を設置する方法に関するもので、図１の（ｃ）に、軒先部における改修用屋根材３００の設置状況を示す。
【００２４】
軒先部改修用屋根材３００は、第一の既設屋根材２１０の軒側水平部２１２を覆い、その先端の懸り止め部３０１は、唐草部固定部材６００の被懸り止め部６０６に嵌合している。
【００２５】
一方、軒先部改修用屋根材３００の棟側水平部３０８は既設屋根材２１０の中央水平部２１５に当接し、設置用釘３０９が棟側水平部３０８と第一の既設屋根材２１０の中央水平部２１５を貫通して野地板１００に打設され、軒先部改修用屋根材３００の軒先の雨仕舞いを確実にしている。
【００２６】
なお、軒先部改修用屋根材３００の軒先唐草部３１１または軒側水平部３０２の裏面の一部は、第一の既設屋根材２１０の軒側水平部２１２に当接させるため、軒先部改修用屋根材３００の軒先端範囲の剛性が高くなり、新規野地板等が不要となる。略当接状態であれば多少の隙間がある場合でも、該範囲の大きな変形が抑えられる。
【００２７】
請求項３記載の発明は、軒先先端部の改修用屋根材に嵌合し、棟側に配置される改修用屋根材の施工方法に関し、図２（ａ），（ｂ）に設置状況を示す。
【００２８】
図２（ａ）は、第一の改修用屋根材４１０を設置した状況であって、第一の改修用屋根材４１０の軒側水平部４１２が、軒先部改修用屋根材３００の被懸り止め部３０６および第ニの既設屋根材２２０の軒側水平部２２２（第一の既設屋根材２１０の被懸り止め部２１６に嵌合）の上に配置されている。
【００２９】
第一の改修用屋根材４１０の軒側懸り止め部４１１が、軒先部改修用屋根材３００の被懸り止め部３０６に嵌合している。
【００３０】
そして、第一の改修用屋根材４１０の棟側水平部４１８が第二の既設屋根材２２０の中央水平部２２５に当接し、第一の改修用屋根材４１０の棟側水平部４１８に、設置用釘４１９が第二の既設屋根材４２０の中央水平部４２５を貫通して野地板１００に打設される。
【００３１】
第一の改修用屋根材４１０と軒先部改修用屋根材３００は確実に嵌合し、該嵌合部における雨仕舞いを確実にしている。
【００３２】
なお、第一の改修用屋根材４１０の軒側水平部４１２の裏面の一部は、軒先部改修用屋根材３００の被懸り止め部３０６または第二の既設屋根材２２０の軒側水平部２２２に当接させる。
【００３３】
そのため、第一の改修用屋根材４１０の軒側水平部４１２の剛性が高くなり、新規野地板等は不要で、略当接状態であれば、多少の隙間がある場合でも、該部分の大きな変形が抑えられる。
【００３４】
図２（ｂ）は、第二の改修用屋根材４２０を設置した状況であって、第二の改修用屋根材４２０の軒側水平部４２２が、第一の改修用屋根材４１０の被懸り止め部４１６および第三の既設屋根材２３０の軒側水平部２３２（第二の既設屋根材２２０の被懸り止め部２２６に嵌合）の上に配置されている。
【００３５】
第二の改修用屋根材４２０の軒側懸り止め部４２１が、第一の改修用屋根材４１０の被懸り止め部４１６に嵌合している。そして、第二の改修用屋根材４２０の棟側水平部４２８が第三の既設屋根材２３０の中央水平部２３５に当接し、棟側水平部４２８に、設置用釘４２９が第三の既設屋根材４３０の中央水平部４３５を貫通して野地板１００に打設される。
【００３６】
上述したように、本発明に係る横葺金属屋根改修工法では、改修用屋根材を用いて既設屋根の上に新たな屋根を葺成するが、改修用屋根材の形状は、相互に嵌合し、且つ屋根を葺成した際、既設屋根を覆うことができれば良く特に規定しないが、改修用屋根材の軒側水平部の裏面の一部が、既設屋根材の軒側水平部に略当接されるとより望ましい。また、本願発明は屋根改修に要する費用を低減することも目的としているところから、改修用屋根材は、既設屋根材に類似した形状を有し、その製造においては既設屋根材の製造ラインを流用することが望ましい。
【００３７】
望ましい既設屋根材、改修用屋根材の形状について軒先先端部における屋根材の固定用冶具も含めて以下に詳細に説明する。
【００３８】
図３は、本発明に係る既設屋根材の一実施例の幅方向の断面図で、既設屋根材２００は、軒先部で略Ｌ字状に裏方向（図中、辺ｂｃ）および棟方向（図中、辺ａｂ）に屈曲した懸り止め部２０１を有する。
【００３９】
また、該懸り止め部２０１に連なる軒側水平部２０２（図中、辺ｃｄ）と、軒側水平部２０２に連なり裏方向に傾斜した軒側傾斜部２０３（図中、辺ｄｅ）と、軒側傾斜部２０３と後記中央水平部２０５との境界を形成する中央屈曲部２０４（図中、位置ｅ）を有する。
【００４０】
該中央屈曲部２０４に連なる中央水平部２０５（図中、辺ｅｆ）と、中央水平部２０５の棟側端部で略Ｓ字状に棟方向（図中、辺ｆｇ）および軒方向（図中、辺ｇｈ）および表方向（図中、辺ｈｉ）および棟方向（図中、辺ｉｊ）に屈曲した被懸り止め部２０６を有する。
【００４１】
該被懸り止め部２０６に連なり裏方向に傾斜した棟側傾斜部２０７（図中、辺ｉｋ）と、棟側傾斜部２０７に連なる棟側水平部２０８（図中、辺ｋｌ）とを有している。
【００４２】
屋根材の嵌合は、第一の屋根材の辺ａｂと辺ｂｃ辺ｃｄにより形成される懐に、第二の屋根材の辺ｇｈと辺ｈｉと辺ｉｊにより形成される突起が収納されて行われ、辺ａｂが、辺ｆｇと辺ｇｈにより形成される隙間に侵入自在である。
【００４３】
図４は、本発明に係わる改修用屋根材の一実施例の幅方向の断面図で、軒先先端材に嵌合して用いられるものを示し、前記既設屋根材２００（図３に示す）と一部を除き略同一形状をしている。
【００４４】
軒先部で略Ｌ字状に裏方向（図中、辺ｂｃ）および棟方向（図中、辺ａｂ）に屈曲した懸り止め部４０１と、該懸り止め部４０１に連なる軒側水平部４０２（図中、辺ｃｄ）と、軒側水平部４０２に連なり裏方向に傾斜した軒側傾斜部４０３（図中、辺ｄｅ）を有する。
【００４５】
該軒側傾斜部４０３と後記中央水平部４０５との境界を形成する中央屈曲部４０４（図中、位置ｅ）と、中央屈曲部４０４に連なる中央水平部４０５（図中、辺ｅｆ）と、中央水平部４０５の棟側端部で略Ｓ字状に棟方向（図中、辺ｆｇ）および軒方向（図中、辺ｇｈ）および表方向（図中、辺ｈｉ）および棟方向（図中、辺ｉｊ）に屈曲した被懸り止め部４０６を有する。
【００４６】
該被懸り止め部４０６に連なり裏方向に傾斜した棟側傾斜部４０７（図中、辺ｉｋ）と、棟側傾斜部４０７に連なる棟側水平部４０８（図中、辺ｋｌ）とを有している。
【００４７】
そして、一方の改修用屋根材４００の棟側水平部４０８において、設置用釘４０９（図示しない）が、既設屋根材２００（図示しない）の中央水平部２０５を貫通して野地板（図示しない）に打設され、該一方の改修用屋根材４００の被懸り止め部４０６に、他方の改修用屋根材４００の懸り止め部４０１が嵌合する。
【００４８】
さらに、同様に設置用釘４０９が野地板に打設され、順次、改修用屋根材４００が葺かれている。すなわち、第一の改修用屋根材の辺ａｂと辺ｂｃと辺ｃｄにより形成される懐に、第二の辺ｇｈと辺ｈｉと辺ｉｈにより形成される突起が収納され、辺ａｂが、辺ｆｇと辺ｇｈにより形成される隙間に侵入自在である。
【００４９】
また、改修用屋根材４００の懸り止め部４０１と被懸り止め部４０６の軒側端部との水平距離である働き幅（図中、ＣとＩの水平距離）は、既設屋根材３００の働き幅（図３において、ｃとｉの水平距離）に略等しい。
【００５０】
図５は、本発明に係わる軒先部改修用屋根材の一実施例を示す幅方向の断面図である。前記改修用屋根材４００（図４に示す）と一部を除き略同一形状をしている。なお、図４で説明した実施の形態と同じ部分には、これと同じ符号を付し、一部の説明を省略する。
【００５１】
軒側水平部３０２（図中、辺ＭＤ）の軒先部に位置する軒先屈曲部３１０（図中、位置Ｍ）において裏方向に略直角に曲げられた軒先唐草部３１１（図中、辺ＣＭ）が形成されている。さらに、軒先唐草部３１１の縁部に略Ｌ字状に棟方向（図中、辺ＢＣ）および表方向（図中、辺ＡＢ）に屈曲した懸り止め部３０１が設置されている。
【００５２】
前記図４に示す改修用屋根材４００と同様に、軒側水平部３０２に連なり裏方向に傾斜した軒側傾斜部３０３（図中、辺ＤＥ）と、軒側傾斜部３０３と後記中央水平部３０５との境界を形成する中央屈曲部３０４（図中、位置Ｅ）を有する。
【００５３】
該中央屈曲部３０４に連なる中央水平部３０５（図中、辺ＥＦ）と、中央水平部３０５の棟側端部で略Ｓ字状に棟方向（図中、辺ＦＧ）および軒方向（図中、辺ＧＨ）および表方向（図中、辺ＨＩ）および棟方向（図中、辺ＩＪ）に屈曲した被懸り止め部３０６を有する。
【００５４】
該被懸り止め部３０６に連なり裏方向に傾斜した棟側傾斜部３０７（図中、辺ＩＫ）と、棟側傾斜部３０７に連なる棟側水平部３０８（図中、辺ＫＬ）とを有している。
【００５５】
被懸り止め部３０６により、他の改修用屋根材と嵌合し、設置用釘により、既設屋根材を貫通して野地板に打設される点は前述の改修用屋根材と同様である。
【００５６】
軒先部には、上述した改修用屋根材を固定するため、唐草部固定部材が設置される。図６に、唐草部固定部材の断面図を示す。
【００５７】
唐草部固定部材６００は、略Ｕ字状に表方向（図中、辺ＧＨ）および水平方向（図中、辺ＨＩ）および表方向（図中、辺ＩＪ）に屈曲した被懸り止め部６０６と、被懸り止め部６０６に連なり表方向に僅かに傾斜した表側傾斜部６０７（図中、辺ＪＫ）０と、表側傾斜部６０７に連なるの端部垂直部６０８（図中、辺ＫＬ）とを有している。
【００５８】
そして、唐草部固定部材６００の被懸り止め部６０６に、軒先部改修用屋根材の懸り止め部が嵌合する。
【００５９】
尚、軒先部には、既設屋根材を固定するため、図７に示す軒先部固定部材が設置されている。図７において、軒先部固定部材５００は、略Ｕ字状に棟方向（図中、辺ｇｈ）および裏方向（図中、辺ｈｉ）および棟方向（図中、辺ｉｊ）に屈曲した被懸り止め部５０６と、被懸り止め部５０６に連なり裏方向に傾斜した棟側傾斜部５０７（図中、辺ｊｋ）と、棟側傾斜部５０７に連なる棟側水平部５０８（図中、辺ｋｌ）とを有している。
【００６０】
そして、軒先部固定部材５００の棟側水平部５０８において、設置用釘５０９（図示しない）が野地板１００（図示しない）に打設され、軒先部固定部材５００の被懸り止め部５０６に、既設屋根材２００（図示しない）の懸り止め部２０１が嵌合し、さらに、その棟側水平部２０８において、設置用釘２０９が野地板１００に打設される。
【００６１】
上述したように、改修用屋根材の嵌合部の形状を、既設屋根材と同一にすることができるから、改修用屋根材の製造では、既設屋根材の製造ラインにおいて働き部の形状圧延工程のみを変更すれば良く、安価に製造することが可能である。
【００６２】
図８、９は、屋根材の製造ラインにおける働き部の形状圧延工程の変更により既設屋根材と（軒先先端部用）改修用屋根材が作り分けられる様子を模式的に示したものである。
【００６３】
図８（ａ）は、働き部形状圧延前の既設屋根材７００の形状を示し、一方に略Ｌ字状に裏方向（図中、辺ＢＣ）および水平方向（図中、辺ＡＢ）に屈曲した懸り止め部７０１と、他方（棟側部に同じ）に略Ｓ字状に水平折り返し方向（図中、辺ＦＧ）および水平方向（図中、辺ＧＨ）および表方向（図中、辺ＨＩ）および水平方向（図中、辺ＩＪ）に屈曲した被懸り止め部７０６と、被懸り止め部７０６に連なり裏方向に傾斜した棟側傾斜部７０７（図中、辺ＩＫ）と、棟側傾斜部７０７に連なる棟側水平部７０８（図中、辺ＫＬ）とを有している。これら両端部の形状は、改修用屋根材と同じ形状である。
【００６４】
図８（ｂ）は、既設屋根材の働き部の形状圧延の様子を模式的に示し、略く字状カリバーを形成する一対の成型ロール８１０、８２０により、略中央部が折り曲げられ、懸り止め部７０１に連なる軒側水平部７０２（図中、辺ＣＤ）と、軒側水平部７０２に連なり裏方向に傾斜した軒側傾斜部７０３（図中、辺ＤＥ）と、軒側傾斜部７０３と後記中央水平部７０５との境界を形成する中央屈曲部７０４（図中、位置Ｅ）と、中央屈曲部７０４に連なる中央水平部７０５（図中、辺ＥＦ）が成型されている。
【００６５】
図８（ｃ）は、働き部形状圧延ロールを交換し、改修用屋根材を製造する様子を示す。改修用屋根材の働き部は、金属屋根を葺成した際、既設屋根と干渉しないようカリバーを形成する一対の成型ロール８３０、８４０により、略中央部が折り曲げられる。
【００６６】
図９は、軒先部改修用屋根材の軒先唐草部の形状圧延工程の様子を示す。軒先部改修用屋根材は改修用屋根材を製造後、軒先唐草部に所望の形状が付与されるよう形状圧延用ロールを交換して製造する。
【００６７】
改修用屋根材４００が、Ｖ字状カリバーを形成する一対の成型ロール８５０、８６０により、軒側水平部４０２で裏方向に略直角に曲げられ、軒先唐草部４１１（図中、辺ＣＭ）を形成する。
【００６８】
尚、軒先部改修用屋根材の軒先唐草部を成形するため、更に形状圧延工程を設けたり、プレス加工でも付与することが可能である。
【００６９】
【発明の効果】
本発明によれば、改修用屋根材の施工において、屋根下地面や設置用フレーム、軒先部材等が不要で、屋根重量の増加が最小に抑えられ、また、既設屋根材に類似した形状の改修用屋根材で施工可能なため、その製造が容易で、かつ特別の施工技能も必要とせず、施工コストを低く抑えることができる。
【図面の簡単な説明】
【図１】（ａ）（ｂ）は軒先部から棟にかけての既設屋根材の施工状況、（ｃ）は軒先部における本発明に係わる改修用屋根材の施工の一実施の形態を示す幅方向の断面図である。
【図２】（ａ）（ｂ）は軒先部から棟にかけての本発明に係わる改修用屋根材の施工の一実施の形態を示す幅方向の断面図である。
【図３】既設屋根材の幅方向の断面図の一例である。
【図４】本発明に係わる屋根の改修に用いる改修用屋根材の一実施の形態を示す幅方向の断面図である。
【図５】本発明に係わる屋根軒先部の改修に用いる軒先部改修用屋根材の一実施の形態を示す幅方向の断面図である。
【図６】本発明に係わる屋根軒先部の改修に用いる軒先部改修用屋根材の唐草部固定部材の一実施の形態を示す幅方向の断面図である。
【図７】既設屋根材を軒先部先端に固定する部材の一実施の形態を示す幅方向の断面図である。
【図８】本発明に係わる屋根の改修に用いる改修用屋根材の製造方法の一実施の形態を説明する図で（ａ）は働き部を加工する前の屋根材の断面図、（ｂ）は既設屋根材の働き部の形状圧延状況、（ｃ）は改修用屋根材の働き部の形状圧延状況を示す。
【図９】本発明に係わる屋根の改修に用いる軒先部改修用屋根材の製造方法の一実施の形態を示す図である。
【図１０】従来例を示す説明図である。
【図１１】従来例を示す説明図である。
【図１２】従来例を示す説明図である。
【図１３】従来例を示す説明図である。
【符号の説明】
１００　　野地板
２００　既設屋根材
２１０　第一の既設屋根材
２２０　第二の既設屋根材
２３０　第三の既設屋根材
３００　軒先部改修用屋根材
３１０　軒先屈曲部
３１１　軒先唐草部
４００　改修用屋根材
４１０　第一の改修用屋根材
４２０　第二の改修用屋根材
５００　軒先部固定部材
６００　唐草部固定部材
６０７　表側傾斜部
６０８　端部垂直部
７００　中間工程の屋根材
７０１　懸り止め部
７０２　軒側水平部
７０３　軒側傾斜部
７０４　中央屈曲部
７０５　中央水平部
７０６　被懸り止め部
７０７　棟側傾斜部
７０８　棟側水平部
２０１、２１１、２３１、３０１、４０１、４１１、４２１　懸り止め部
２０２、２１２、２３２、３０２、４０２、４１２、４２２　軒側水平部
２０３、２１３、２３３、３０３、４０３、４１３、４２３　軒側傾斜部
２０４、２１４、２３４、３０４、４０４、４１４、４２４　中央屈曲部
２０５、２１５、２３５、３０５、４０５、４１５、４２５　中央水平部
２０６、２１６、２３６、３０６、４０６、４１６、４２６　被懸り止め部
５０６、６０６　　　　　　　　　　　　　　　　　　　　　被懸り止め部
２０７、２１７、２３７、３０７、４０７、４１７、４２７　棟側傾斜部
５０７、７０７　　　　　　　　　　　　　　　　　　　　　棟側傾斜部
２０８、２１８、２３８、３０８、４０８、４１８、４２８　棟側水平部
２０９、２１９、２３９、３０９、４０９、４１９、４２９　設置用釘
５０９、６０９　　　　　　　　　　　　　　　　　　　　　　　　　　　　　　　　　　　　　　　　　　設置用釘
【図１】
2004060229.tif 000003
【図２】
2004060229.tif 000004
【図３】
2004060229.tif 000005
【図４】
2004060229.tif 000006
【図５】
2004060229.tif 000007
【図６】
2004060229.tif 000008
【図７】
2004060229.tif 000009
【図８】
2004060229.tif 000010
【図９】
2004060229.tif 000011
【図１０】
2004060229.tif 000012
【図１１】
2004060229.tif 000013
【図１２】
2004060229.tif 000014
【図１３】
2004060229.tif 000015